(57)【要約】【課題】  大きな台板を用いないで振動源を安定に支持し、かつ、高い防振効果の得られる防振台を提供する。【解決手段】  防振台１は、振動源たる楽器のフットボードを支持するフットボード受部２と、各々足を支持する２個の足受部７と、これらの足受部７を各々の上面により支持し、各々の長手方向端部が角度調整部５を介してフットボード受部２に固定された２本のブリッジ部３を有する。フットボード受部２の下面および２本のブリッジ部３の下面から、複数の防振部４が支持する。フットボード受部２、２個の足受部７および２本のブリッジ部３は、一体に連結され、複数の防振部４により鉛直方向下方から支持された状態において鉛直方向の外力に抗する高い剛性を有する。【選択図】  図１
2016045324.tif 000002
【特許請求の範囲】
【請求項１】
振動源の各部を支持する第１〜第Ｎ（Ｎは３以上の整数）の支持部と、
前記第２〜第Ｎの支持部を各々の上面により支持し、各々の長手方向端部が前記第１の支持部に固定された複数のブリッジ部と、
前記第１の支持部と前記複数のブリッジ部とを下面から支持する複数の防振部とを有し、
前記第１の支持部と前記複数のブリッジ部が、鉛直方向に延びた共通の軸により一体に連結されてなることを特徴とする防振台。
【請求項２】
前記複数のブリッジ部の少なくとも一部のブリッジ部の長手方向の長さを調整する長さ調整部を具備することを特徴とする請求項１に記載の防振台。
【請求項３】
前記複数のブリッジ部の少なくとも一部のブリッジ部の前記第１の支持部に対する角度を調整する角度調整部を具備することを特徴とする請求項１または２に記載の防振台。
【請求項４】
前記複数のブリッジ部における少なくとも一部のブリッジ部は、任意の位置において前記支持部を支持可能であることを特徴とする請求項１〜３のいずれか１の請求項に記載の防振台。
【請求項５】
前記第１の支持部は、楽器のフットボードを支持する部材であり、前記第２〜第Ｎの支持部は、楽器の足を支持する部材であることを特徴とする請求項１〜４のいずれか１の請求項に記載の防振台。
【発明の詳細な説明】
【技術分野】
【０００１】
この発明は防振台に係り、特に、電子ドラムやバスドラム等の楽器を叩くためにフットボードを踏み込む際の床衝撃音の発生を防止する防振台に関する。
【背景技術】
【０００２】
電子ドラムやバスドラム等の楽器はフットボードを備えている。演奏者は、このフットボードを踏み込むことにより楽器から音を発生させる。ここで、例えば集合住宅において楽器演奏を行う場合、このフットボードの踏み込みにより床衝撃音が発生し、階下の人にとって騒音となる。そこで、この床衝撃音の発生を防止するための手段として、防振台が用いられる。
【０００３】
特許文献１に開示された防振台は、遮音シートを挟み込んだ長方形の台板と、この台板を支持する複数の脚部を備えている。ここで、脚部は、防振ゴム等の振動吸収材を含んでいる。演奏者は、この防振台の脚部を床の上に置き、この防振台の台板の上に楽器を載せて楽器を演奏する。このようにして、楽器が直接床に接するのを防ぎ、床衝撃音の発生を防止することができる。
【０００４】
特許文献２に開示された防振台は、第１防振台と第２防振台という２つの防振台を有している。第１防振台および第２防振台は、いずれも剛板と、この剛板を支持する膨出部とにより構成されている。ここで、膨出部は、ゴム状弾性体により構成されている。演奏者は、第１防振台に楽器のフットボードを載せ、第２防振台に楽器の支持スタンドである足を載せて楽器の演奏を行う。このようにすることで、楽器が直接床に接するのを防ぎ、楽器による床衝撃音の発生を防止することができる。さらに、特許文献２に開示の防振台は、第１防振台と第２防振台との位置関係を調整することにより、各種のサイズの楽器を載せることができる。
【先行技術文献】
【特許文献】
【０００５】
【特許文献１】特開平１１−０２４６６０号公報
【特許文献２】実用新案登録第３１８８３８４号
【特許文献３】実用新案登録第３０６５５９１号
【発明の概要】
【発明が解決しようとする課題】
【０００６】
ところで、特許文献１に記載の防振台の場合、演奏者は、楽器のサイズに合った大きさの台板を有した防振台を用意しなくてはならない。従って、楽器のサイズが大きい場合に、防振台の台板が大きくなり、この台板が邪魔になって、他のドラムセットの設置が困難になる問題がある。
【０００７】
また、特許文献２に記載の防振台では、第１防振台および第２防振台の位置関係を調整することにより各種のサイズの楽器を支持することが可能である。しかし、特許文献２に記載の防振台において、楽器を支持する第１防振台と第２防振台は、互いに独立であり、楽器に加わる外力や楽器の重量に応じて各々が別個に運動する。このため、特許文献２に記載の防振台は、楽器を安定に支持するのが困難であり、かつ、防振効果が低いという問題がある。
【０００８】
この発明は以上のような事情に鑑みてなされたものであり、大きな台板を用いないで振動源を安定に支持し、かつ、高い防振効果の得られる防振台を提供することを目的としている。
【課題を解決するための手段】
【０００９】
この発明は、振動源の各部を支持する第１〜第Ｎ（Ｎは３以上の整数）の支持部と、前記第２〜第Ｎの支持部を各々の上面により支持し、各々の長手方向端部が前記第１の支持部に固定された複数のブリッジ部と、前記第１の支持部と前記複数のブリッジ部とを下面から支持する複数の防振部とを有し、前記第１の支持部と前記複数のブリッジ部が、鉛直方向に延びた共通の軸により一体に連結されてなることを特徴とする防振台を提供する。
【００１０】
この発明によれば、大きな台板を用いないで振動源を支持することができる。また、第１の支持部と複数のブリッジ部は、鉛直方向に延びた共通の軸により一体に連結されており、複数の防振部により鉛直方向下方から支持された状態において鉛直方向の外力に抗する高い剛性を有するので、振動源を安定に支持することができ、かつ、高い防振効果が得られる。
【図面の簡単な説明】
【００１１】
【図１】この発明の一実施形態である防振台の構成を示す平面図である。
【図２】同防振台の側面図である。
【図３】図２のＡ−Ａ’線断面図である。
【図４】同防振台の足受部の非対称配置例を示した平面図である。
【図５】キックパッドに対する同防振台の設置例を示した斜視図である。
【図６】同防振台のフットボード受部と足受部の配置例を示した平面図である。
【図７】バスドラムに対する同防振台の設置例を示した斜視図である。
【図８】同防振台のフットボード受部と足受部の配置例を示した平面図である。
【図９】足が２本のハイハットスタンドに対する同防振台の設置例を示した斜視図である。
【図１０】同防振台のフットボード受部と足受部の配置例を示した平面図である。
【図１１】足が３本のハイハットスタンドに対する同防振台の設置例を示した斜視図である。
【図１２】同防振台のフットボード受部と足受部の配置例を示した平面図である。
【図１３】足が３本のハイハットスタンドとキックペダルに対する同防振台の設置例を示した斜視図である。
【図１４】同防振台のフットボード受部と足受部の配置例を示した平面図である。
【図１５】バスドラムに対する同防振台の設置例を示した側面図である。
【図１６】同防振台の防振部と足受部が離隔した配置例を示した平面図である。
【図１７】同防振台の防振部と足受部が近接した配置例を示した平面図である。
【発明を実施するための形態】
【００１２】
以下、図面を参照しつつ本発明の実施の形態について説明する。
図１は、この発明の一実施形態である防振台１の構成を示す平面図である。また、図２は同防振台１の側面図である。図１および図２に示すように、防振台１は、フットボード受部２、２本のブリッジ部３、４個の防振部４、角度調整部５、２個の長さ調整部６および２個の足受部７から構成されている。本実施形態による防振台１は、操作子としてフットボードを有する楽器を支持し、楽器演奏の際の床衝撃音の発生を防止するものである。
【００１３】
図１および図２において、フットボード受部２は、楽器のフットボードを支持する部材であり、台形形状をした板状部材により構成されている。このフットボード受部２を構成する板状部材は、フットボードの重量と演奏者がフットボードを押す外力に耐え得る剛性を有している。フットボード受部２の下面には防振部４が固定されており、防振部４はフットボード受部２を下面から支持している。また、台形形状をなすフットボード受部２の長辺側の側面には角度調整部５が固定されている。
【００１４】
図１および図２に示す例では、フットボード受部２は２個の防振部４を有しているが、必ずしも防振部４が２つである必要はない。フットボード受部２を床に対して支持するために、フットボード受部２の短辺側の側面近傍に防振部４を最低でも１つ有していればよい。また、フットボード受部２を３つ以上の防振部４により支持してもよい。なお、フットボード受部２は、図１および図２では台形形状であるが、この台形形状は、現在主に流通している楽器のフットボードに合わせた形状である。防振台１に載せるフットボードの形状に合わせて、フットボード受部２を長方形形状などの台形形状以外の形状としてもよい。さらに、演奏中にフットボードの位置ずれが生じないように、フットボード受部２の上面に滑り止め防止部材を設けてもよいし、フットボード受部２の上面に沿った方向のフットボードの位置ずれを規制するストッパをフットボード受部２に設けてもよい。このストッパは、フットボード受部２の台形形状面の４辺の内、フットボードの演奏中の位置ずれが生じる方向の１辺のみに設置してもよいし、複数の辺に設置してもよい。
【００１５】
フットボード受部２には、角度調整部５を介して２本のブリッジ部３が接続されている。角度調整部５は、フットボード受部２に固定された軸を有している。この軸は、鉛直方向に十分な長さを有している。本実施形態では、この角度調整部５が有する鉛直方向に延びた共通の軸によりフットボード受部２と２本のブリッジ部３とを一体に連結する。そして、２本のブリッジ部３の各端部はこの軸廻りに回転自在に支持されている。また、２本のブリッジ部３は、この角度調整部５に支持されることにより、フットボード受部２に対して平行な姿勢を保っている。角度調整部５は、２本のブリッジ部３を軸に対して固定するロック機能を有している。演奏者は、このロック機能を解除することにより、２本のブリッジ部３の角度を調整し、ロック機能を有効にすることにより２本のブリッジ部３の角度を固定することができる。
【００１６】
各ブリッジ部３は、２本の中空の金属製角パイプ３ａおよび３ｂを有する。ここで、金属製角パイプ３ｂは、金属製角パイプ３ａよりも断面積が小さく、一端が角度調整部５の軸に支持されている。また、金属製角パイプ３ｂの角度調整部５と反対側の端部は、金属製角パイプ３ａの中空内部に挿入されている。そして、金属製角パイプ３ａは、金属製角パイプ３ｂに対して摺動可能である。
【００１７】
本実施形態では、金属製角パイプ３ａの断面の鉛直方向の幅Ｈが水平方向の幅Ｗよりも長い。金属製角パイプ３ｂも同様である。従って、本実施形態におけるブリッジ部３は、鉛直方向の応力に対して高い剛性を有しており、楽器の重量に十分に耐えうる。
【００１８】
各金属製角パイプ３ａの角度調整部５側の端部近傍には、長さ調整部６が設けられている。図３は、この長さ調整部６のＡ−Ａ’線断面図である。図３に示すように、金属製角パイプ３ｂを収容している金属製角パイプ３ａの側壁には雌ネジ孔が貫通している。そして、この雌ネジ孔と、この雌ネジ孔に嵌め合わさった雄ネジ６ａが長さ調整部６を構成している。使用者は、この雄ネジ６ａを緩め、雄ネジ６ａの先端を金属製角パイプ３ｂの側面から離間させることにより長さ調整部６のロックを解除することができる。この状態において、使用者は、金属製角パイプ３ａを金属製角パイプ３ｂに対して摺動させ、ブリッジ部３の長さを調整することができる。また、使用者は、この雄ネジ６ａを締め、雄ネジ６ａの先端を金属製角パイプ３ｂの側面に押し当てることにより長さ調整部６をロックすることができる。この状態において、金属製角パイプ３ａは金属製角パイプ３ｂに対して固定され、ブリッジ部３の長さが固定される。
【００１９】
２本の金属製角パイプ３ａの角度調整部５の反対側の端部近傍の下面には、図１および図２に示すように防振部４が固定されており、防振部４は金属製角パイプ３ａを下面から支持している。そして、上述したように同様な防振部４がフットボード受部２の下面の２箇所に設けられている。各防振部４の支持位置は防振台１の設計により決定される。
【００２０】
本実施形態において、防振部４は、ゴムやウレタン等の防振部材と、この防振部材を支持する支持棒から構成されている。そして、防振部４の防振部材が床に接し、支持棒がフットボード受部２や金属製角パイプ３ａの下面に固定されており、防振部４の支持棒はフットボード受部２や金属製角パイプ３ａを下面から支持している。この防振部４は、床と直接接して、楽器の床衝撃音の発生を防止する役割を果たす。本実施形態における防振部４では、防振部材を支持棒から取り外して交換することが可能である。なお、防振部材は、板バネやスプリングでもよい。図１および図２に示すように、フットボード受部２の下面に設けられた２個の防振部４と、２本の金属製角パイプ３ａの下面に設けられた各防振部４は、各々の防振部材の下面がフットボード受部２および２本のブリッジ部３に平行な同一水平面をなすように各々の支持棒の長さが決定されている。なお、防振部４の支持棒に高さ調整機能を設けていてもよい。
【００２１】
図１および図２に示すように、２本の金属製角パイプ３ａの上面には、足受部７が設けられている。この足受部７は、楽器の足を支持する長方形形状の板状部材７ａと、板状部材を支持する支持棒７ｂから構成されている。金属製角パイプ３ａの上面には、長手方向に沿って、足受部７の支持棒７ｂを差し込むための穿孔３ｃが複数設けられている。演奏者は、これらの穿孔３ｃのうち所望のものに足受部７の支持棒７ｂを差し込み、足受部７を金属製角パイプ３ａの上面に固定することができる。なお、図１では、金属製角パイプ３ａが穿孔３ｃを６個有しているが、穿孔３ｃの数は６個に限られない。さらに、楽器の足の形状次第では、１本の金属製角パイプ３ａに対して２個以上の足受部７を設置してもよい。
【００２２】
図１および図２に示す例において、フットボード受部２および２個の足受部７は、振動源である楽器の各部を支持する第１〜第Ｎの支持部を構成している。そして、この例では、フットボード受部２が第１の支持部、２個の足受部７が第２および第３の支持部である。角度調整部５および長さ調整部６がロックされた状態において、フットボード受部２、２個の足受部７、角度調整部５および２本のブリッジ部３は、相互に連結されて一体物となる。そして、この一体物は、複数の防振部４により鉛直方向下方から支持された状態において鉛直方向の外力に抗する高い剛性を有する。従って、本実施形態による防振台１は、振動源たる楽器を安定に支持することができ、かつ、高い防振効果が得られる。
以上が、本実施形態における防振台１の詳細である。
【００２３】
次に本実施形態による防振台１の使用例を説明する。フットボードおよび足を有する楽器では、楽器により、フットボードおよび足の位置が異なる。そして、楽器によっては、フットボードの正面方向に対して非対称に２本の足が位置する場合がある。本実施形態によれば、図４に示すように、角度調整部５を利用して２本のブリッジ部３をフットボード受部２の正面方向に対して非対称に開き、２個の足受部７をフットボード受部２の正面方向に対して非対称な位置に固定することができる。
【００２４】
図５は、キックパッド８ａに対する防振台１の設置例を示した斜視図であり、図６は、同防振台１のフットボード受部２および２個の足受部７の配置例を示した平面図である。図６では、キックパッドの図示は省略している。比較的小型の電子ドラムであるキックパッド８ａを防振台１に載せる際には、角度調整部５により、防振台１を上面から見た際の２本のブリッジ部３間の角度をキックパッド８ａの足１０ａに合わせて狭くする。さらに、長さ調整部６により、キックパッド８ａに合わせてブリッジ部３の長さを短く調整する。そして、フットボード受部２の上面にキックパッド８ａのフットボード９ａを載せ、足受部７の上面にキックパッド８ａの足１０ａを載せる。このようにすることで、キックパッド８ａが直接床に接することがなくなり、キックパッド８ａの踏み込み時に床衝撃音の発生を防止することができる。
【００２５】
図７は、バスドラム８ｂに対する防振台１の設置例を示した斜視図であり、図８は、同防振台１のフットボード受部２および２個の足受部７の配置例を示した平面図である。図８では、バスドラム８ｂの図示は省略している。比較的大型の楽器であるバスドラム８ｂを防振台１に載せる際には、角度調整部５により、防振台１を上面から見た際の２本のブリッジ部３間の角度をバスドラム８ｂの足１０ｂに合わせて広くする。さらに、長さ調整部６により、バスドラム８ｂに合わせてブリッジ部３の長さを長く調整する。そして、フットボード受部２の上面にバスドラム８ｂのフットボード９ｂを載せ、２個の足受部７の上面にバスドラム８ｂの２本の足１０ｂを載せる。このようにすることで、バスドラム８ｂが直接床に接することがなくなり、バスドラム８ｂの演奏時の床衝撃音の発生を防止することができる。
【００２６】
防振台１にハイハットスタンドを載せる際には、ハイハットスタンドの足が２本であるか３本であるかにより使用する防振台１の構成が変わってくる。すなわち、ハイハットスタンドの足が２本である場合は、２本のブリッジ部３を有する防振台１を使用し、ハイハットスタンドの足が３本である場合は、３本のブリッジ部３を有する防振台１を使用する。図９は、足が２本のハイハットスタンド８ｃに対する防振台１の設置例を示した斜視図であり、図１０は、同防振台１のフットボード受部２および２個の足受部７の配置例を示した平面図である。図１１は、足が３本のハイハットスタンド８ｄに対する防振台１の設置例を示した斜視図であり、図１２は、同防振台１のフットボード受部２および３個の足受部７の配置例を示した平面図である。
【００２７】
足が２本のハイハットスタンド８ｃの場合には、図９および図１０に示すように、角度調整部５により、防振台１を上面から見た際の２本のブリッジ部３間の角度をハイハットスタンド８ｃの２本の足１０ｃに合わせて狭くなる。さらに、長さ調整部６により、ハイハットスタンド８ｃに合わせてブリッジ部３の長さを短く調整する。そして、フットボード受部２の上面にハイハットスタンド８ｃのフットボード９ｃを載せ、２個の足受部７の上面にハイハットスタンド８ｃの２本の足１０ｃを載せる。これにより、フットボード９ｃおよびハイハットスタンド８ｃの２本の足１０ｃが直接床に接することがなくなり、床衝撃音の発生を防止できる。
【００２８】
足が３本のハイハットスタンド８ｄの場合には、図１１および図１２に示すように、角度調整部５により、防振台１を上面から見た際の３本のブリッジ部３間の角度をハイハットスタンド８ｄの３本の足１０ｄに合わせる。この際、図１１および図１２に示すように、３本のブリッジ部３のうち中央の１本をフットボード受部２の正面方向に向け、左右の２本を角度調整部５に対して左右後方に向ける。さらに、長さ調整部６により、ハイハットスタンド８ｄの３本の足１０ｄに合わせてブリッジ部３の長さを短く調整する。そして、フットボード受部２の上面にハイハットスタンド８ｄのフットボード９ｄを載せ、３個の足受部７の上面にハイハットスタンド８ｄの３本の足１０ｄを載せる。これにより、フットボード９ｄおよびハイハットスタンド８ｄの３本の足１０ｄが直接床に接することがなくなり、床衝撃音の発生を防止できる。
【００２９】
以上説明した例では、１つの防振台１に１つの楽器を載せたが、１つの防振台１に複数の楽器を載せることも可能である。図１３は、足が３本のハイハットスタンド８ｄとキックペダル１２に対する防振台１の設置例を示した斜視図であり、図１４は、同防振台１のフットボード受部２および２個の足受部７の配置例を示した平面図である。図１４では、足が３本のハイハットスタンド８ｄとキックペダル１２の図示は省略しており、左側の長さ調整部６がフットボード受部２の下側に隠れているので、左側の長さ調整部６も図示を省略している。
【００３０】
この例では、図１３に示すように、ハイハットスタンド８ｄのペダル９ｄと、ツインペダル１１のキックペダル１２をフットボード受部２の上面に載せる。具体的には、フットボード受部２の上面の左側にペダル９ｄを設置し、右側にキックペダル１２を設置する。また、図１３および図１４に示すように、防振台１として、３本のブリッジ部３を有するものを使用する。そして、角度調整部５により、防振台１を上面から見た際に３本のブリッジ部３をフットボード受部２に対して非対称に配置する。この際、３本のブリッジ部３のうち左右２本のブリッジ部３の足受部７を角度調整部５よりも演奏者側に配置する。さらに、長さ調整部６により、ハイハットスタンド８ｄの３本の足１０ｄに合わせて、３本のブリッジ部３のうち右側の１本のブリッジ部３を短く調整する。この右側の１本のブリッジ部３を短くするのは、防振台１の右側に、防振台１に載せる楽器とは異なる他のドラムセットを配置するためである。そして、フットボード受部２の上面にフットボード９ｄとキックペダル１２を載せ、３個の足受部７の上面にハイハットスタンド８ｄの３本の足１０ｄを載せる。このようにすることで、ハイハットスタンド８ｄの３本の足１０ｄおよびペダル９ｄ、キックペダル１２が直接床に接することがなくなり、床衝撃音の発生を防止することができる。
【００３１】
次に防振台１にサイズの大きな楽器を載せる使用例について説明する。図１５に示す例では、防振台１にバスドラム８ｂを載せている。さらに詳述すると、バスドラム８ｂのフットボード９ｂがフットボード受部２に載せられ、バスドラム８ｂの足１０ｂが足受部７に載せられている。このように防振台１にバスドラム８ｂを載せることで、バスドラム８ｂは直接床に接することがない。そのため、バスドラム８ｂの演奏中の床衝撃音の発生を防止することができる。この場合、防振台１における防振部４以外の部分の剛性、具体的にはフットボード受部２、ブリッジ部３、角度調整部５および長さ調整部６が、バスドラム８ｂの重量や演奏中のフットボード９ｂへの外力によりたわみやすいと、防振効果が低下する。しかしながら、本実施形態におけるフットボード受部２、ブリッジ部３、角度調整部５および長さ調整部６は、バスドラム８ｂの重量や演奏中の外力に耐えうる十分な剛性を有している。従って、本実施形態によれば、防振台１が支持する楽器の重量が重く、あるいは楽器に加わる外力が大きい場合でも、十分な防振効果が得られる。
【００３２】
次に、防振台１の安定性を増す使用例について説明する。図１６は、防振台１の防振部４と足受部７が離隔した配置例を示した平面図であり、図１７は、防振台１の防振部４と足受部７が近接した配置例を示した平面図である。キックパッド８ａのような小型の電子ドラムを防振台１に載せる場合、図１７に示すように、長さ調整部６により電子ドラムのサイズに合わせてブリッジ部３を短く調整すると、防振台１に載せた電子ドラムの安定性が悪くなる。しかしながら、本実施形態では、ブリッジ部３における足受部７の位置を自由に選択可能である。そこで、小型の電子ドラムが防振台１に載せる場合には、図１６に示すように、ブリッジ部３の長手方向の長さを十分に長くし、ブリッジ部３における足受部７の位置を電子ドラムの足に合わせて決定する。このようにブリッジ部３を長くすることにより、電子ドラムを支持する防振台１の安定性を増すことができる。なお、このように安定性を増すためにブリッジ部３の長手方向の長さを長くしたとしても、長くしたブリッジ部３の分だけしか場所を取らないので、防振台１に載せる電子ドラム以外の他のドラムセットの設置を妨げない。
【００３３】
次に、本実施形態の効果について説明する。まず、本実施形態による防振台１は、大きな台板を用いず、必要最低限の占有面積を持ったフットボード受部２と、足受部７により楽器を支持する。従って、本実施形態によれば、他のドラムセットの設置を困難にすることなく、防振台１により楽器を支持し、床衝撃音の発生を防止することができる。
【００３４】
また、本実施形態において、角度調整部５は、フットボード受部２に固定された軸を有しており、２本のブリッジ部３はこの軸に対して回転自在に支持されている。そして、本実施形態では、この角度調整部５の軸として、鉛直方向に十分な長さを持った軸を採用している。従って、防振台１に楽器が載せられ、この楽器の重量や楽器に加わる外力に起因した鉛直方向の外力がブリッジ部３に加わる場合でも、角度調整部５は、その外力に抗してブリッジ部３を水平に保つことができる。また、本実施形態において、ブリッジ部３は、図３に示すように、水平方向の幅Ｗに対して垂直方向の幅Ｈが大きくなっている。従って、ブリッジ部３は、鉛直方向の外力に対する曲げ剛性が強くなっている。そして、本実施形態では、角度調整部５がロックされ、かつ、長さ調整部６によりブリッジ部３の長さが固定されると、フットボード受部２、角度調整部５、２本のブリッジ部３および２個の足受部７は、鉛直方向に延びた共通の軸（すなわち、角度調整部５の軸）により相互に連結されて一体物となり、複数の防振部４により鉛直方向下方から支持される。この状態において、フットボード受部２、角度調整部５および２本のブリッジ部３は、鉛直方向の外力に抗する高い剛性を有する。従って、フットボード受部２に楽器のフットボードを載せ、足受部７に楽器の足を載せた状態において、防振台１は、振動源たる楽器を外力に抗して安定に支持することができる。また、本実施形態では、フットボード受部２、角度調整部５および２本のブリッジ部３が一体に連結されており、かつ、この一体物を複数の防振部４が鉛直方向下方から支持するので、高い防振効果が得られる。
【００３５】
また、本実施形態による防振台１は、ブリッジ部３の長さを調整する長さ調整部６と、ブリッジ部３の角度を調整する角度調整部５を有している。このため、フットボード受部２と、足受部７の位置関係を任意に調整することができる。従って、本実施形態による防振台１によれば、様々なサイズの楽器を支持することができる。また、本実施形態では、楽器のサイズに合わせて、フットボード受部２と、足受部７の位置関係を任意に調整した後は、長さ調整部６と角度調整部５をロックして、フットボード受部２、角度調整部５おっよび２本のブリッジ部３を相互に連結された一体物とすることができる。従って、本実施形態によれば、各種のサイズの楽器を支持する場合において高い防振効果が得られる。
【００３６】
また、本実施形態では、ブリッジ部３における足受部７の支持位置を任意に選択することができる。このため、本実施形態では、例えば長さ調整部６によりブリッジ部３を十分な長さにして楽器を支持する際の安定性を確保し、その上で、足受部７の支持位置を楽器のサイズに合わせて最適化することができる。従って、本実施形態によれば、各種のサイズの楽器を安定に支持して、高い防振効果を得ることができる。
【００３７】
また、本実施形態では、フットボード受部２とブリッジ部３の防振部４により、楽器演奏に伴う振動の床への伝搬を阻止し、床衝撃音の発生を防止する。この際に、防振部４の防振部材の硬度が低いほど、楽器の振動を床に伝え難く、防振台１の防振効果が高くなる。そのため、防振台１の防振効果を高くするために、防振部材が柔らかいことが求められる。しかし、防振部材があまりにも柔らかいと、防振台１に載せる楽器の重量と演奏者が演奏中に楽器のフットボードを押す外力により、防振部材が破損する。さらに、防振部材が過度に柔らかいと、防振台１に載せる楽器が安定せず、演奏者が楽器の演奏をしづらくなる。そのため、防振部材の硬度にはある程度の硬さが求められる。このように、防振台１の防振効果と、防振部材の耐久性や演奏者による楽器演奏の容易さは相反関係にあるため、防振部材は、防振効果と外力に対する耐力や演奏しづらさを両立できる程度の硬度を有していることが必要となる。しかしながら、本実施形態による防振台１は、防振部４の防振部材が交換可能である。従って、本実施形態によれば、防振台１に載せる楽器に合わせて、防振部４の防振部材を交換し、楽器に合わせて適切な防振効果を生じさせることができる。
【００３８】
以上、この発明の一実施形態について説明したが、この発明には他にも実施形態が考えられる。例えば次の通りである。
【００３９】
（１）上記実施形態では、ブリッジ部３に長さ調整部６を設けた構成を採用するとともに、ブリッジ部３における足受部７の支持位置を任意に選択し得る構成を採用したが、前者の構成のみ、あるいは後者の構成のみを採用してもよい。
【００４０】
（２）上記実施形態では、全てのブリッジ部３に長さ調整部６を設けたが、一部のブリッジ部３に長さ調整部６を設けてもよい。
【００４１】
（３）上記実施形態では、角度調整部５により、全てのブリッジ部３の角度を調整し得るようにしたが、一部のブリッジ部３の角度のみを調整し得るようにしてもよい。
【００４２】
（４）上記実施形態では、全てのブリッジ部３において、足受部７の支持位置を任意に選択し得るようにしたが、一部のブリッジ部３のみにおいて、足受部７の支持位置を任意に選択し得るようにしてもよい。
【００４３】
（５）上記実施形態では、この発明を楽器用の防振台に適用したが、この発明は、例えば特許文献３に開示されているような楽器以外の振動源を支持する防振台にも適用可能である。
【００４４】
（６）上記実施形態では、ブリッジ部３の鉛直方向の外力に対する曲げ剛性を強くするために、ブリッジ部３の断面の水平方向の幅Ｗに対して垂直方向の幅Ｈを大きくした。しかし、ブリッジ部３の鉛直方向の外力に対する曲げ剛性を強くするために、他の構成を採用してもよい。例えばブリッジ部３の水平方向に沿った外壁の肉厚に比べて鉛直方向に沿った外壁の肉厚を厚くしてもよい。また、金属製角パイプ３ｂの上下の外壁間に挟まれ、かつ、鉛直方向に沿った支持板を金属製角パイプ３ｂ内部に設けてもよい。
【符号の説明】
【００４５】
１……防振台、２……フットボード受部、３……ブリッジ部、３ａ，３ｂ……金属製角パイプ、３ｃ……穿孔、４……防振部、５……角度調整部、６……長さ調整部、６ａ……ネジ、７……足受部、７ａ……板状部材、７ｂ……支持棒、８ａ……キックパッド、８ｂ……バスドラム、８ｃ……足が２本のハイハットスタンド、８ｄ……足が３本のハイハットスタンド、９ａ〜９ｄ……フットボード、１０ａ〜１０ｄ……足、１１……ツインペダル、１２……キックペダル。
【図１】
2016045324.tif 000003
【図２】
2016045324.tif 000004
【図３】
2016045324.tif 000005
【図４】
2016045324.tif 000006
【図５】
2016045324.tif 000007
【図６】
2016045324.tif 000008
【図７】
2016045324.tif 000009
【図８】
2016045324.tif 000010
【図９】
2016045324.tif 000011
【図１０】
2016045324.tif 000012
【図１１】
2016045324.tif 000013
【図１２】
2016045324.tif 000014
【図１３】
2016045324.tif 000015
【図１４】
2016045324.tif 000016
【図１５】
2016045324.tif 000017
【図１６】
2016045324.tif 000018
【図１７】
2016045324.tif 000019